【手続補正書】
【提出日】平成18年7月27日(2006.7.27)
【手続補正１】
【補正対象書類名】明細書
【補正対象項目名】発明の名称
【補正方法】変更
【補正の内容】
【発明の名称】移動通信システム、移動通信端末および移動通信方法
【手続補正２】
【補正対象書類名】明細書
【補正対象項目名】特許請求の範囲
【補正方法】変更
【補正の内容】
【特許請求の範囲】
【請求項１】  １つの基地局と、複数の移動局のそれぞれが、
前記基地局から前記移動局に、または前記移動局から前記基地局に伝送すべき音声を第１の所定周期ごとに符号化して音声データを生成する音声データ生成手段と、
前記音声データ生成手段で生成された音声データを前記第１の所定周期より短い第２の所定周期であって、該第２の所定周期を前記第１の所定周期で除した値として定義される圧縮率の逆数が整数とはならない第２の所定周期に圧縮する音声データ圧縮手段と、を具備することを特徴とする移動通信システム。
【請求項２】  下り方向通信周波数の占有周波数帯域幅１０ｋＨｚ以下の電波を常時発射する１つの基地局と、上り方向通信周波数の占有周波数帯域幅１０ｋＨｚ以下の電波を必要時発射する複数の移動局との間で使用される移動通信システムであって、
前記基地局と前記移動局のそれぞれが、
前記基地局から前記移動局に、または前記移動局から前記基地局に伝送すべき音声を第１の所定周期ごとに符号化して音声データを生成する音声データ生成手段と、
前記音声データ生成手段で生成された音声データを前記第１の所定周期より短い第２の所定周期に圧縮する音声データ圧縮手段と、
前記音声データ圧縮手段で圧縮された圧縮音声データを伝送する音声データ伝送フレームおよび非音声データを伝送する非音声データ伝送フレームを生成する伝送フレーム生成手段と、
前記伝送フレーム生成手段で生成された音声データ伝送フレームおよび非音声データ伝送フレームを送信する送信手段と、
前記送信手段により、前記基地局から前記移動局に、または前記移動局から前記基地局に送信された音声データ伝送フレームおよび非音声データ伝送フレームを受信する受信手段と、
前記受信手段で受信された音声データ伝送フレームから圧縮音声データを抽出し、第１の所定周期に伸長する伸長手段と、を具備することを特徴とする移動通信システム。
【請求項３】  前記伝送フレーム生成手段が、
前記音声データ圧縮手段で圧縮された圧縮音声データが存在しないときは、音声データ伝送フレームに非音声データを挿入する非音声データ挿入手段をさらに具備する請求項２に記載の移動通信システム。
【請求項４】  前記基地局の前記伝送フレーム生成手段が、
前記移動局が伝送すべき圧縮音声データを有していないときは前記移動局が音声データ伝送フレームに非音声データを挿入することを指令し、前記移動局が伝送すべき圧縮音声データを有しているときは前記移動局が音声データ伝送フレームに圧縮音声データを挿入することを指令する移動局伝送データ指令手段をさらに具備する請求項３に記載の移動通信システム。
【請求項５】  下り方向通信周波数の占有周波数帯域幅１０ｋＨｚ以下の電波を常時発射する１つの基地局と、第１の上り方向通信周波数の占有周波数帯域幅１０ｋＨｚ以下の電波を必要時発射する第１組に属する複数の移動局および第１の上り方向通信周波数とは異なる周波数の第２の上り方向通信周波数の占有周波数帯域幅１０ｋＨｚ以下の電波を必要時発射する第２組に属する複数の移動局との間で使用される移動通信システムであって、
前記基地局と前記移動局のそれぞれが、
前記基地局から前記移動局に、または前記移動局から前記基地局に伝送すべき音声を第１の所定周期ごとに符号化して音声データを生成する音声データ生成手段と、
前記音声データ生成手段で生成された音声データを前記第１の所定周期より短い第２の所定周期に圧縮する音声データ圧縮手段と、
前記音声データ圧縮手段で圧縮された圧縮音声データを伝送する音声データ伝送フレームおよび非音声データを伝送する非音声データ伝送フレームを生成するとともに、前記音声データ圧縮手段で圧縮された圧縮音声データが存在しないときは、音声データ伝送フレームに非音声データを挿入する伝送フレーム生成手段と、
前記伝送フレーム生成手段で生成された音声データ伝送フレームおよび非音声データ伝送フレームを送信する送信手段と、
前記送信手段により、前記基地局から前記移動局に、または前記移動局から前記基地局に送信された音声データ伝送フレームおよび非音声データ伝送フレームを受信する受信手段と、
前記受信手段で受信された音声データ伝送フレームから圧縮音声データを抽出し、第１の所定周期に伸長する伸長手段と、を具備し、
前記基地局の前記伝送フレーム生成手段が、
前記第１組に属する移動局が伝送すべき圧縮音声データを有していないときは前記第１組に属する移動局が音声データ伝送フレームに非音声データを挿入することを指令し、前記第１組に属する移動局が伝送すべき圧縮音声データを有しているときは前記移動局が音声データ伝送フレームに圧縮音声データを挿入することを指令する第１組移動局伝送データ指令手段と、
前記第２組に属する移動局が伝送すべき圧縮音声データを有していないときは前記第２組に属する移動局が音声データ伝送フレームに非音声データを挿入することを指令し、前記第２組に属する移動局が伝送すべき圧縮音声データを有しているときは前記移動局が音声データ伝送フレームに圧縮音声データを挿入することを指令する第２組移動局伝送データ指令手段と、をさらに具備する請求項３に記載の移動通信システム。
【請求項６】  前記基地局の前記伝送フレーム生成手段が、
音声データ伝送フレームに圧縮音声データあるいは非音声データを挿入すべき移動局を指定する移動局指定手段をさらに具備する請求項４または５に記載の移動通信システム。
【請求項７】  非音声データが、移動局の現在位置を表す現在位置データと移動局の状態を表す状態データとを含む請求項２から６のいずれか１項に記載の移動通信システム。
【請求項８】  前記伝送フレーム生成手段が、
状態データを非音声データ伝送フレームにのみ挿入する状態データ挿入手段をさらに具備する請求項２から６のいずれか１項に記載の移動通信システム。
【請求項９】  前記基地局の前記伝送フレーム生成手段が、
前記移動局が、非音声データ伝送フレームに挿入すべき非音声データとして現在位置データまたは状態データのいずれか一方を指定する非音声データ指定手段をさらに具備する請求項８に記載の移動通信システム。
【請求項１０】  前記基地局の前記伝送フレーム生成手段が、
特定の移動局に対して音声データ伝送フレームまたは非音声データ伝送フレームの少なくとも一方を使用して現在位置データの伝送を要求する現在位置データ要求手段をさらに具備する請求項２から９のいずれか１項に記載の移動通信システム。
【請求項１１】  前記移動局の伝送フレーム生成手段が、
音声データ伝送フレームで音声データを伝送しているときに、自局の識別番号を非音声データとして非音声データ伝送フレームに挿入する識別番号挿入手段をさらに具備し、
前記基地局が、
前記受信手段で受信した非音声データ伝送フレームから移動局の識別番号を抽出する移動局識別番号抽出手段をさらに具備する請求項２から１０のいずれか１項に記載の移動通信システム。
【請求項１２】  前記基地局の伝送フレーム生成手段が、
音声データあるいは非音声データの伝送を要求する移動局、および伝送するデータの種類を指定するポーリング手段をさらに具備する請求項２から１１のいずれか１項に記載の移動通信システム。
【請求項１３】  前記移動局の伝送フレーム生成手段が、
現在位置データの伝送が必要であると判断したときに自律的に現在位置データを伝送する自律的現在位置データ伝送手段をさらに具備する請求項１２に記載の移動通信システム。
【請求項１４】  前記自律的現在位置データ伝送手段が、
前回現在位置データを伝送した後、予め定められた走行距離または予め定められた直線距離移動したときに現在位置データの伝送が必要であると判断する請求項１３に記載の移動通信システム。
【請求項１５】  前記自律的現在位置データ伝送手段が、
前回現在位置データを伝送した後、予め定められた時間経過したときに現在位置データの伝送が必要であると判断する請求項１３に記載の移動通信システム。
【請求項１６】  １つの基地局が、
前記基地局から移動局に伝送すべき音声を第１の所定周期ごとに符号化して音声データを生成する基地局音声データ生成手段と、
前記基地局音声データ生成手段で生成された音声データを前記第１の所定周期より短い第２の所定周期に圧縮する基地局音声データ圧縮手段と、
前記基地局音声データ圧縮手段で圧縮された圧縮音声データを含む予め定められた下り方向伝送フレーム長の下り方向伝送フレーム中に挿入して下り方向伝送フレームを生成する下り方向伝送フレーム生成手段と、を具備し、
複数の移動局のそれぞれが、
前記移動局から前記基地局に伝送すべき音声を第１の所定周期ごとに符号化して音声データを生成する移動局音声データ生成手段と、
前記移動局音声データ生成手段で生成された音声データを前記第１の所定周期より短い第２の所定周期に圧縮する移動局音声データ圧縮手段と、
前記移動局音声データ圧縮手段で圧縮された圧縮音声データを含む下り方向伝送フレーム長より短い予め定められた上り方向伝送フレーム中に挿入して上り方向伝送フレームを生成する上り方向伝送フレーム生成手段と、を具備することを特徴とする移動通信システム。
【請求項１７】  複数の移動局のそれぞれが、
基地局から前記移動局に、または前記移動局から前記基地局に伝送すべき音声を第１の所定周期ごとに符号化して音声データを生成する音声データ生成手段と、
前記音声データ生成手段で生成された音声データを前記第１の所定周期より短い第２の所定周期であって、該第２の所定周期を前記第１の所定周期で除した値として定義される圧縮率の逆数が整数とはならない第２の所定周期に圧縮する音声データ圧縮手段と、を具備することを特徴とする移動通信端末。
【請求項１８】  複数の移動局のそれぞれが、
基地局から前記移動局に、または前記移動局から前記基地局に伝送すべき音声を第１の所定周期ごとに符号化して音声データを生成する音声データ生成ステップと、
前記音声データ生成ステップで生成された音声データを前記第１の所定周期より短い第２の所定周期であって、該第２の所定周期を前記第１の所定周期で除した値として定義される圧縮率の逆数が整数とはならない第２の所定周期に圧縮する音声データ圧縮ステップと、を有することを特徴とする移動通信方法。
【手続補正３】
【補正対象書類名】明細書
【補正対象項目名】００１２
【補正方法】変更
【補正の内容】
【００１２】
本発明にあっては、狭帯域通信であるために圧縮後の音声データに制御ビットを付加した伝送フレーム長が、そのキャリアの伝送量に近い場合であっても音声を圧縮した結果生じる空き時間を使用して非音声データが伝送される。
第３の発明に係る移動通信システムは、１つの基地局が、基地局から移動局に伝送すべき音声を第１の所定周期ごとに符号化して音声データを生成する基地局音声データ生成手段と、基地局音声データ生成手段で生成された音声データを第１の所定周期より短い第２の所定周期に圧縮する基地局音声データ圧縮手段と、基地局音声データ圧縮手段で圧縮された圧縮音声データを含む予め定められた下り方向伝送フレーム長の下り方向伝送フレーム中に挿入して下り方向伝送フレームを生成する下り方向伝送フレーム生成手段と、を具備し、
複数の移動局のそれぞれが、移動局から基地局に伝送すべき音声を第１の所定周期ごとに符号化して音声データを生成する移動局音声データ生成手段と、移動局音声データ生成手段で生成された音声データを第１の所定周期より短い第２の所定周期に圧縮する移動局音声データ圧縮手段と、移動局音声データ圧縮手段で圧縮された圧縮音声データを含む下り方向伝送フレーム長より短い予め定められた上り方向伝送フレーム中に挿入して上り方向伝送フレームを生成する上り方向伝送フレーム生成手段と、を具備する。
本発明に係る移動通信端末は、複数の移動局のそれぞれが、基地局から移動局に、または移動局から記基地局に伝送すべき音声を第１の所定周期ごとに符号化して音声データを生成する音声データ生成手段と、この音声データ生成手段で生成された音声データを第１の所定周期より短い第２の所定周期であって、この第２の所定周期を前記第１の所定周期で除した値として定義される圧縮率の逆数が整数とはならない第２の所定周期に圧縮する音声データ圧縮手段と、を具備する。
本発明に係る移動通信方法は、複数の移動局のそれぞれが、基地局から移動局に、または移動局から基地局に伝送すべき音声を第１の所定周期ごとに符号化して音声データを生成する音声データ生成ステップと、この音声データ生成ステップで生成された音声データを第１の所定周期より短い第２の所定周期であって、この第２の所定周期を第１の所定周期で除した値として定義される圧縮率の逆数が整数とはならない第２の所定周期に圧縮する音声データ圧縮ステップと、を有する。
【手続補正４】
【補正対象書類名】明細書
【補正対象項目名】００５５
【補正方法】変更
【補正の内容】
【００５５】
ステップ２００で否定判定された場合、即ちＤvsを受信していない場合は、ステップ２０２で音声伝送終了信号（Ｄve）を受信しているかを判定する。
ステップ２０２で肯定判定された場合、即ちＤveを受信している場合は、ステップ２０３でＤｖビットを "０" に設定してこのルーチンを終了する。
ステップ２０２で否定判定された場合、即ちＤveを受信していない場合は、直接このルーチンを終了してＤｖビットの設定は維持される。従って、Ｄvsを受信後Ｄveを受信するまでの間はＤｖビットが "１" に維持される。
【手続補正５】
【補正対象書類名】明細書
【補正対象項目名】００５９
【補正方法】変更
【補正の内容】
【００５９】
ステップ２１０７では非音声データの伝送条件が確立したかを判定する。ステップ２１０７で肯定判定されたとき、即ち移動局から基地局へ伝送すべき非音声データが存在するときは、ステップ２１０８で、ＤvsまたはＤve、ＧＰＳ受信部４０５で受信されたＧＰＳデータおよび動態データ設定部４０６に収集された動態データを非音声データ伝送フレームに挿入し、ステップ２１０９で非音声データ送信ルーチンを実行してこのルーチンを終了する。
【手続補正６】
【補正対象書類名】明細書
【補正対象項目名】００８３
【補正方法】変更
【補正の内容】
【００８３】
ステップ３２０で否定判定された場合、即ちＤvsを受信していない場合は、ステップ３２２で音声伝送終了信号（Ｄve）を受信しているかを判定する。
ステップ３２２で肯定判定された場合、即ちＤveを受信している場合は、ステップ２０３でＤｖビットを "０" に設定してステップ３２４に進む。
ステップ３２２で否定判定された場合、即ちＤveを受信していない場合は、直接ステップ３２４に進むためＤｖビットの設定は維持される。従って、Ｄvsを受信後Ｄveを受信するまでの間はＤｖビットが "１" に維持される。なお、Ｄｖビットは図示しない初期化ルーチンにおいて "０" の初期化されているものとする。